(57)【特許請求の範囲】
【請求項１】
フックを取り付けたワイヤーロープを巻上電動機により巻き上げ／巻き下ろす巻上機であって、
前記巻上電動機の回転数を検出するエンコーダと、
前記巻上電動機に制動をかける巻上ブレーキと、
前記巻上ブレーキを制御するブレーキ制御処理部とを備え、
前記ブレーキ制御処理部は、
巻上用インバータの出力周波数に基づいて前記巻上ブレーキを制御する通常モードのブレーキ制御処理部と、
前記巻上電動機の回転数に基づいて前記巻上ブレーキを制御する荷下ろしモードのブレーキ制御処理部と、を備え、
前記荷下ろしモードのブレーキ制御処理部は、制御部が故障した荷下ろしモード時に、前記エンコーダで検出した巻上電動機の回転数に基づいて前記巻上ブレーキを制御することを特徴とする巻上機。
【請求項２】
請求項１に記載の巻上機において、
前記荷下ろしモードのブレーキ制御処理部は、制御部が故障した荷下ろしモード時に、前記巻上電動機の回転数が所定の回転数以下の場合には前記巻上ブレーキを解放し、所定の回転数を越えると前記巻上ブレーキに制動をかけることを特徴とする巻上機。
【請求項３】
請求項１に記載の巻上機において、
操作入力部から入力された通常モード或いは荷下ろしモードに応じて、前記通常モードのブレーキ制御処理部と前記荷下ろしモードのブレーキ制御処理部を切り替えることを特徴とする巻上機。
【請求項４】
請求項３に記載の巻上機において、
前記操作入力部は、電源の入り切りを行う入切ボタン、クレーンフックを上下させる上下ボタン、巻上機を移動させる東西ボタンおよび南北ボタンを備えており、ボタンの組み合わせ操作により、通常モードと荷下ろしモードを入力することを特徴とする巻上機。
【請求項５】
請求項１に記載の巻上機において、
前記巻上電動機、前記巻上用インバータ、または、前記巻上インバータ制御部の異常を検出した場合に前記荷下ろしモードへ移行することを特徴とする巻上機。
【請求項６】
請求項１に記載の巻上機において、
荷下ろしモードから通常の運転モードへ戻す手段を備えることを特徴とする巻上機。
【請求項７】
請求項１に記載の巻上機において、
荷下ろしモード等の運転モードの状態を、外部に出力する手段を備えることを特徴とする巻上機。
【請求項８】
請求項７記載の巻上機において、
前記運転モードの状態を外部に出力する手段は、ランプまたは警報音発生手段であることを特徴とする巻上機。
【請求項９】
請求項１〜８の何れか一つに記載の巻上機を用いた天井クレーン装置。
【発明の詳細な説明】
【技術分野】
【０００１】
本発明は、巻上機の制御部故障時の荷下ろし技術に関する。
【背景技術】
【０００２】
巻上機（ホイスト）は、クレーンフックに取り付けた荷物を、電動機を備えた巻上用装置によりワイヤーロープを巻上げ巻下げすることで、上下に移動するものである。巻上機において制御部が故障すると、吊荷を上げ下げ運転できなくなり、吊荷を下ろす必要がある。
【０００３】
本技術分野の背景技術として、特開２００６−２７３５４７号公報（特許文献１）がある。この公報には、「ホイスト故障時に、ホイスト側制御器から外部に取り出されている巻上げモータ／ブレーキ及び走行モータ／ブレーキの主操作回路からの分岐線に接続されたコネクターに、ホイストの巻上げ、走行を司る制御部分を有する補助操作回路を有した故障ホイストの操作装置のカップラーを接続し、該接続回路を介して、前記故障ホイストに電源を投入して、故障ホイストをホイスト操作用操作盤により再操作可能とする。」（要約参照）と記載されている。
【０００４】
また、特開平１０−３１６３７７号公報（特許文献２）がある。この公報には、「主モータの回転軸に連結されたブレーキ軸をクラッチ部及び微速側減速部を介して微速モータの回転軸に連結し、故障発生時回転軸に設けた延長部にハンドルを取り付け、回転軸を制動するブレーキ部のブレーキトルクに抗して回転軸を強制的に回転させる。」（要約参照）と記載されている。
【先行技術文献】
【特許文献】
【０００５】
【特許文献１】特開２００６−２７３５４７号公報
【特許文献２】特開平１０−３１６３７７号公報
【発明の概要】
【発明が解決しようとする課題】
【０００６】
巻上機の制御部が故障すると、上げ下げ運転ができなくなる。故障時に荷を吊った状態であると修理の際危険であるため、吊荷を下ろす必要がある。
【０００７】
この問題を解決するために、巻上機の制御部故障時の対策として、例えば特許文献１では、予めホイストを制御する制御盤に、別制御盤を簡易的に接続できる構成を設け、制御盤が故障時、別制御盤を接続し故障したホイストを動作させている。
【０００８】
また、特許文献２では、モータの回転軸を手動で回転させるためのハンドルを設け、故障時に前記ハンドルを回転させることで荷降ろしを可能としている。
【０００９】
故障した巻上機を動作させるため、前記特許文献１では、別制御盤を簡易的に接続できる構成、及び、別制御盤を設ける必要があり、また、前記特許文献２では、モータの回転軸を手動で回転させるためのハンドルを設ける必要がある。
【００１０】
また、前記特許文献１、２いずれにおいても、荷下ろしをするためには、巻上機が設置されている工場の天井に操作員が昇る必要がある。
【００１１】
本発明は、特別な装置を用いることなく、故障した巻上機を動作させ、安全に吊荷を下ろすことができる巻上機を提供することを目的とする。
【課題を解決するための手段】
【００１２】
上記課題を解決するために、例えば特許請求の範囲に記載の構成を採用する。
本願は上記課題を解決する手段を複数含んでいるが、その一例を挙げるならば、フックを取り付けたワイヤーロープを巻上電動機により巻き上げ／巻き下ろす巻上機であって、前記巻上電動機の回転数を検出するエンコーダと、前記巻上電動機に制動をかける巻上ブレーキと、前記巻上ブレーキを制御するブレーキ制御処理部とを備え、前記ブレーキ制御処理部は、巻上用インバータの出力周波数に基づいて前記巻上ブレーキを制御する通常モードのブレーキ制御処理部と、前記巻上電動機の回転数に基づいて前記巻上ブレーキを制御する荷下ろしモードのブレーキ制御処理部と、を備え、前記荷下ろしモードのブレーキ制御処理部は、制御部が故障した荷下ろしモード時に、前記エンコーダで検出した巻上電動機の回転数に基づいて前記巻上ブレーキを制御することを特徴とするものである。
【発明の効果】
【００１３】
本発明によれば、特別な装置を用いることなく、故障した巻上機を動作させ、安全に吊荷を下ろすことができる巻上機を提供することができる。また、故障時に操作員が天井に上って作業を行う必要もなくなる。
【００１４】
上記した以外の課題、構成及び効果は、以下の実施形態の説明により明らかにされる。
【図面の簡単な説明】
【００１５】
【図１】実施例のインバータ式天井クレーン装置の全体構成を示す斜視図である。
【図２】実施例のインバータ式天井クレーン装置の主要部の構成を示すブロック図である。
【図３】実施例の荷下ろし制御の構成を示すブロック図である。
【図４】図３の巻上・横行インバータ制御部内のブレーキ制御の構成を示す図である。
【図５】荷下ろし制御の実行判断処理を示すフローチャートの一例である。
【図６】図５の処理を行うための操作入力装置を示す図である。
【図７】荷下ろし時のブレーキ制御処理を示すフローチャートである。
【発明を実施するための形態】
【００１６】
以下、本発明の実施例を図面を用いて説明する。
【００１７】
図１は、本実施例によるインバータ式天井クレーン装置の全体構成を示す斜視図である。
インバータ式天井クレーン装置は、クレーンフック１、ワイヤーロープ２、巻上誘導電動機３、巻上用装置４、横行誘導電動機５、横行用装置６、横行用ガーダー７、走行誘導電動機８、走行用装置９、走行用ガーダー１０、巻上・横行インバータ装置（主制御部と称す。）１１、操作入力装置１３および走行用インバータ装置１８から構成されている。
【００１８】
インバータ式天井クレーン装置は、クレーンフック１に取り付けた荷物を、巻上誘導電動機３を備えた巻上用装置４によりワイヤーロープ２を巻上巻下することでＺ方向（Ｚ方向、−Ｚ方向の矢印で示す。）即ち、上下方向に荷物を移動する。また、Ｘ方向（Ｘ方向、−Ｘ方向の矢印で示す。）（横方向）には、横行用装置６にある車輪を、横行誘導電動機５が回転させ、横行用ガーダー７に沿ってＸ方向に移動する。また、Ｙ方向（Ｙ方向、−Ｙ方向の矢印で示す。）（前後方向）には、走行用装置９にある車輪を、走行誘導電動機８が回転させ、走行用ガーダー１０に沿ってＹ方向に移動する。
【００１９】
図２は、インバータ式天井クレーン装置の主要部の構成を示すブロック図である。
巻上誘導電動機３と横行誘導電動機５は、巻上・横行用インバータ装置１１に格納された巻上・横行インバータ制御部１２により制御される。即ち、オペレータが操作入力装置１３からの所定の指示を入力すると、巻上・横行インバータ制御部１２は、巻上用インバータ１４と横行用インバータ１５を制御し、巻上用インバータ１４と横行用インバータ１５から制御に必要な周波数、電圧、電流を巻上誘導電動機３と横行誘導電動機５に加え、同時に誘導電動機用ブレーキ１６を解放制御することで、巻上用装置４の場合、クレーンフック１に取り付けられた荷物が、落下することなくＺ方向に移動させる。また、横行用装置６の場合、横行用ガーダー７に沿って巻上用装置４をＸ方向に移動させる。
また、巻上・横行インバータ制御部１２は、モータの回転数を検出するエンコーダ１７の情報を取り込み、モータ回転数の情報を巻上用インバータ１４の制御に使用する。
【００２０】
同様に、走行用装置９に取り付けてある走行誘導電動機８は、オペレータが操作入力装置１３からの所定の指示を入力すると、走行用インバータ装置１８に格納された走行インバータ制御部１９が走行用インバータ２０を制御し、走行用インバータ２０から制御に必要な周波数、電圧、電流を走行誘導電動機８に加え、同時に誘導電動機用ブレーキ１６を解放制御することで、走行用ガーダー１０に沿って巻上用装置４をＹ方向に移動させる。
【００２１】
本実施例の、制御部故障時の荷下ろし構成を、図３乃至図７により説明する。
【００２２】
図３は、荷下ろし制御構成を示すブロック図である。
巻上・横行インバータ制御部１２は、マイコンを搭載しており、巻上用インバータ１４、巻上用モータ３、または、巻上・横行インバータ制御部１２自体の異常を検出すると、荷下ろしモードに移行する。ここで、荷下ろしモードへの移行は例えば巻上・横行インバータ制御部１２のマイコンのタイマ割込処理で実施する。
【００２３】
図５に、荷下ろし制御実行判断処理のフロー図の一例を示す。また、図６に、図５のフローで荷下ろしモードへ移行するための操作入力装置の一例を示す。操作入力装置１３は、天井クレーン装置を動作させるもので、電源の入り切りを行う入切ボタン、クレーンフックを上下させる上下ボタン、巻上機を移動させる東西ボタンおよび南北ボタンを有している。図５のフローは、図６の操作入力装置１３において、上操作をしながら切操作をし、その後、入操作をすると、荷下ろしモードへ移行するものである。
まず、現在荷下ろしモードであるか確認し（Ｓ１０１）、荷下ろしモードでなければ、荷下ろしフラグの確認をする（Ｓ１０２）。次に、荷下ろしフラグが０ならば、巻上異常を検出中であるか確認し（Ｓ１０３）、異常検出中ならば、上下操作入力を確認する（Ｓ１０４）。次に、上または下操作入力があるならば、切操作入力を確認し（Ｓ１０５）、切操作ならば、荷下ろしフラグを１にする（Ｓ１０６）。前記順序で荷下ろしフラグを１にすることで、荷下ろしフラグが１であるとき（Ｓ１０２）、入操作を確認し（Ｓ１０７）、入操作があれば、荷下ろしモードに移行する（Ｓ１０８）。
前記順序で荷下ろしモードに移行することができるので、巻上異常検出で動作できないときに、上操作をしながら切操作をし、その後、入操作をすれば、荷下ろしモードに移行することができる。
図５において、荷下ろし後など通常モードへ戻す方法は、荷下ろしモード時、切操作を検出した場合（Ｓ１０９）、荷下ろしモードを終了し通常モードに移行する（Ｓ１１０）。
なお、図５，６の例では、特定の操作ボタンの組み合わせにより荷下ろしモードへ移行するように構成したが、他の操作ボタンの組み合わせとしても良いし、或いは、荷下ろしモードへ移行するための専用の操作ボタンを設けても良い。
【００２４】
ここで、荷下ろしモードに移行したことの確認は、巻上・横行インバータ制御部１２から現在の運転モードを出力させ、例えば、ランプ等を点灯させる、または、ブザー等で警報音を発生させることで、確認できるようにしても良い。
【００２５】
荷下ろしモード移行後、巻上・横行インバータ制御部１２は、操作入力装置１３からの下方向への操作信号を検出すると、巻上誘導電動機３のブレーキ１６を解放させることで、吊荷の荷下ろしを行う。その際、巻上・横行インバータ制御部１２は、巻上誘導電動機３の回転数が一定値を越えないように、ブレーキ１６の解放・制動を指示する。
【００２６】
図４に、図３の巻上・横行インバータ制御部１２内のブレーキ制御の構成を示す。通常モードのブレーキ制御処理部４１と荷下ろしモードのブレーキ制御処理部４２を備えており、操作入力検出処理部４３で操作入力装置１３の操作を検出し、通常モードか荷下ろしモードかの操作入力情報に基づいて、通常／荷下ろしモード切替処理部４４で通常モードのブレーキ制御処理部４１と荷下ろしモードのブレーキ制御処理部４２とを切り替える。なお、通常モードのブレーキ処理部４１では、巻上インバータ出力周波数に基づいて巻上ブレーキ１６が制御され、また、荷下ろしモードのブレーキ制御処理部４２では、巻上モータ回転数に基づいて巻上ブレーキ１６が制御される。
【００２７】
図３において、巻上ブレーキ１６を解放すると、吊荷の重さや自重によりクレーンフック１は下方に落下する。巻上ブレーキ１６の解放時には、巻上用モータ３に直結されたエンコーダ１７からの信号で巻上用モータの回転数を確認し、一定の値、例えば５００ｒｐｍを越えないように、巻上ブレーキ１６の解放・制動を行う。巻上用モータ３の回転数に基づいてブレーキ制御を実施することで、安全な速度で荷下ろしを行うことができる。
なお、図３の例では、巻上用モータの回転数が一定の値を越えないように制御したが、巻上用モータの回転数が所定の回転数になるようにブレーキを連続的に制御しても良い。
【００２８】
図７に、荷下ろし時のブレーキ制御処理のフローチャートを示す。図７は、図５のフローチャートにおいて、下操作があると荷下ろし制御を行うものである。
先ず、ステップ２０１で、荷下ろしモードであるかを判別し、荷下ろしモードの場合、ステップ２０２で、下操作があるかを判別し、下操作がある場合には、ステップ２０４で巻き上げブレーキの解放制御を行う。その際、ステップ２０３で、モータの回転数が例えば５００ｒｐｍ以下の場合は、巻き上げブレーキの解放制御を行うが、５００ｒｐｍを越える場合は、ステップ２０５の巻き上げブレーキ制動制御を行う。
なお、通常モードの場合は、ステップ２０６で通常のブレーキ制御処理（開閉制御）を行う。
【００２９】
本実施例により、異常検出時すなわち制御部の動作ができないときに、操作員が天井に昇って作業を行う必要がない。そして、巻上・横行インバータ制御部１２、エンコーダ１７は一般的なインバータホイストならば、標準的に搭載しているので、特別な装置を用いることなく、故障した巻上機を動作させることができ、安全に吊荷を下ろすことができる。
【符号の説明】
【００３０】
１：クレーンフック
２：ワイヤーロープ
３：巻上誘導電動機
４：巻上用装置
５：横行誘導電動機
６：横行用装置
７：横行用ガーダー
８：走行誘導電動機
９：走行用装置
１０：走行用ガーダー
１１：巻上・横行インバータ装置
１２：巻上・横行インバータ制御部
１３：操作入力装置
１４：巻上用インバータ
１５：横行用インバータ
１６：誘導電動機用ブレーキ
１７：エンコーダ
１８：走行用インバータ装置
１９：走行インバータ制御部
２０：走行用インバータ
４１：通常モードのブレーキ制御処理部
４２：荷下ろしモードのブレーキ制御処理部
４３：操作入力検出処理部
４４：通常／荷下ろしモード切替処理部
【図１】
0006556551.tif 000002
【図２】
0006556551.tif 000003
【図３】
0006556551.tif 000004
【図４】
0006556551.tif 000005
【図５】
0006556551.tif 000006
【図６】
0006556551.tif 000007
【図７】
0006556551.tif 000008